【手続補正書】
【提出日】平成20年4月23日(2008.4.23)
【手続補正１】
【補正対象書類名】明細書
【補正対象項目名】発明の名称
【補正方法】変更
【補正の内容】
【発明の名称】カートリッジ及び画像形成装置
【手続補正２】
【補正対象書類名】明細書
【補正対象項目名】特許請求の範囲
【補正方法】変更
【補正の内容】
【特許請求の範囲】
【請求項１】  画像形成装置に着脱可能なカートリッジであって、現像剤収納容器と、前記現像剤収納容器内の現像剤残量を逐次検知できる第１の現像剤量検知手段と第２の現像剤量検知手段と、前記第１の現像剤量検知手段または前記第２の現像剤量検知手段が検知した検知出力値を記憶する記憶手段と、を有し、前記第１の現像剤量検知手段によって検知できる範囲が前記第２の現像剤量検知手段によって検知できる範囲とは異なるカートリッジにおいて、
前記複数の現像剤量検知手段のうち、前記第１の現像剤量検知手段による検知出力値が所定の範囲内になったときの前記第２の現像剤量検知手段の検知出力値を前記記憶手段に記憶することを特徴とするカートリッジ。
【請求項２】  前記記憶手段は、前記第２の現像剤量検知手段による検知出力値を演算処理して得られた値を記憶することを特徴とする請求項１に記載のカートリッジ。
【請求項３】  前記第１の現像剤量検知手段は平面アンテナであり、前記第２の現像剤量検知手段はプレートアンテナであることを特徴とする請求項１または２に記載のカートリッジ。
【請求項４】  前記記憶手段は、不揮発性メモリ、非接触型不揮発性メモリ、又は、電源を備えた揮発性メモリであることを特徴とする請求項１乃至３のいずれかの項に記載のカートリッジ。
【請求項５】  現像剤収納容器と、前記現像剤収納容器内の現像剤残量を逐次検知できる第１の現像剤量検知手段と第２の現像剤量検知手段と、前記第１の現像剤量検知手段または前記第２の現像剤量検知手段が検知した検知出力値を記憶する記憶手段と、を有し、前記第１の現像剤量検知手段によって検知できる範囲が前記第２の現像剤量検知手段によって検知できる範囲とは異なるカートリッジが着脱可能であって、前記検知出力値を処理する信号処理手段と、現像剤残量表示手段と、を有する画像形成装置において、
前記第１の現像剤量検知手段による検知出力値が所定の範囲内になったときに、前記第２の現像剤量検知手段の検知出力値を前記記憶手段に記憶させ、前記第２の現像剤量検知手段によって検知される範囲内で逐次検出される検知出力値を前記記憶手段に記憶された前記検知出力値を用いて補正し、補正した値に応じて前記現像剤残量表示手段に現像剤残量を表示することを特徴とする画像形成装置。
【請求項６】  前記記憶手段には、前記第２の現像剤量検知手段による検知出力値を前記信号処理手段によって演算処理して得られた値が記憶されることを特徴とする請求項５に記載の画像形成装置。
【請求項７】  前記第１の現像剤量検知手段は平面アンテナであり、前記第２の現像剤残量検知手段はプレートアンテナであることを特徴とする請求項５または６に記載の画像形成装置。
【請求項８】  更に、表示手段を有する機器と通信可能であり、検知した現像剤残量に関する情報を表示するための信号をこの表示手段を有する機器に送信することを特徴とする５乃至７のいずれかの項に記載の画像形成装置。
【請求項９】  前記記憶手段は、不揮発性メモリ、非接触型不揮発性メモリ、又は、電源を備えた揮発性メモリであることを特徴とする請求項５乃至８のいずれかの項に記載の画像形成装置。
【手続補正３】
【補正対象書類名】明細書
【補正対象項目名】０００１
【補正方法】変更
【補正の内容】
【０００１】
【発明の属する技術分野】
本発明は、電子写真方式を用いた画像形成装置、及びこの画像形成装置本体に着脱可能なプロセスカートリッジやカートリッジ化された現像装置に関し、特にこのプロセスカートリッジ又は現像装置に搭載された記憶手段と、これらプロセスカートリッジ又は現像装置の内部に配設されている現像剤量検知手段を用いて現像剤の残量を検知し、その結果を表示する表示手段から構成される画像形成装置に関する。
【手続補正４】
【補正対象書類名】明細書
【補正対象項目名】００２２
【補正方法】変更
【補正の内容】
【００２２】
従って、本発明の目的は、現像剤量を全体にわたって逐次にかつ正確に検出し、適切なカートリッジ交換時期を示し、画像不良の発生を防止し、現像剤や記録媒体の無駄を無くすることのできる画像形成装置、及び該画像形成装置に着脱可能に装着されるカートリッジを提供することである。
【手続補正５】
【補正対象書類名】明細書
【補正対象項目名】００２３
【補正方法】変更
【補正の内容】
【００２３】
【課題を解決するための手段】
上記目的は本発明に係るカートリッジ、及び画像形成装置にて達成される。
【手続補正６】
【補正対象書類名】明細書
【補正対象項目名】００２４
【補正方法】変更
【補正の内容】
【００２４】
第１の本発明によると、画像形成装置に着脱可能なカートリッジであって、現像剤収納容器と、前記現像剤収納容器内の現像剤残量を逐次検知できる第１の現像剤量検知手段と第２の現像剤量検知手段と、前記第１の現像剤量検知手段または前記第２の現像剤量検知手段が検知した検知出力値を記憶する記憶手段と、を有し、前記第１の現像剤量検知手段によって検知できる範囲が前記第２の現像剤量検知手段によって検知できる範囲とは異なるカートリッジにおいて、
前記複数の現像剤量検知手段のうち、前記第１の現像剤量検知手段による検知出力値が所定の範囲内になったときの前記第２の現像剤量検知手段の検知出力値を前記記憶手段に記憶することを特徴とするカートリッジが提供される。
【手続補正７】
【補正対象書類名】明細書
【補正対象項目名】００２５
【補正方法】変更
【補正の内容】
【００２５】
第１の本発明の一実施態様によれば、前記記憶手段は、前記第２の現像剤量検知手段による検知出力値を演算処理して得られた値を記憶する。他の実施態様によれば、前記第１の現像剤量検知手段は平面アンテナであり、前記第２の現像剤量検知手段はプレートアンテナである。更に、他の実施態様によれば、前記記憶手段は、不揮発性メモリ、非接触型不揮発性メモリ、又は、電源を備えた揮発性メモリである。
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】変更
【補正の内容】
【００２７】
第２の本発明によると、現像剤収納容器と、前記現像剤収納容器内の現像剤残量を逐次検知できる第１の現像剤量検知手段と第２の現像剤量検知手段と、前記第１の現像剤量検知手段または前記第２の現像剤量検知手段が検知した検知出力値を記憶する記憶手段と、を有し、前記第１の現像剤量検知手段によって検知できる範囲が前記第２の現像剤量検知手段によって検知できる範囲とは異なるカートリッジが着脱可能であって、前記検知出力値を処理する信号処理手段と、現像剤残量表示手段と、を有する画像形成装置において、
前記第１の現像剤量検知手段による検知出力値が所定の範囲内になったときに、前記第２の現像剤量検知手段の検知出力値を前記記憶手段に記憶させ、前記第２の現像剤量検知手段によって検知される範囲内で逐次検出される検知出力値を前記記憶手段に記憶された前記検知出力値を用いて補正し、補正した値に応じて前記現像剤残量表示手段に現像剤残量を表示することを特徴とする画像形成装置が提供される。
【手続補正１０】
【補正対象書類名】明細書
【補正対象項目名】００２８
【補正方法】変更
【補正の内容】
【００２８】
第２の本発明の一実施態様によると前記記憶手段には、前記第２の現像剤量検知手段による検知出力値を前記信号処理手段によって演算処理して得られた値が記憶される。
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】変更
【補正の内容】
【００３３】
第２の本発明の他の実施態様によると、前記記憶手段には、前記第２の現像剤量検知手段による検知出力値を前記信号処理手段によって演算処理して得られた値が記憶される。他の実施態様によると、前記第１の現像剤量検知手段は平面アンテナであり、前記第２の現像剤残量検知手段はプレートアンテナである。
【手続補正１６】
【補正対象書類名】明細書
【補正対象項目名】００３４
【補正方法】変更
【補正の内容】
【００３４】
第２の本発明の他の実施態様によると、更に、表示手段を有する機器と通信可能であり、検知した現像剤残量に関する情報を表示するための信号をこの表示手段を有する機器に送信する。
【手続補正１７】
【補正対象書類名】明細書
【補正対象項目名】００３５
【補正方法】変更
【補正の内容】
【００３５】
第２の本発明の他の実施態様によると、前記記憶手段は、不揮発性メモリ、非接触型不揮発性メモリ、又は、電源を備えた揮発性メモリである。
【手続補正１８】
【補正対象書類名】明細書
【補正対象項目名】００３６
【補正方法】変更
【補正の内容】
【００３６】
【発明の実施の形態】
以下、本発明に係るカートリッジ、及び画像形成装置を図面に則して更に詳しく説明する。
【手続補正１９】
【補正対象書類名】明細書
【補正対象項目名】０１２７
【補正方法】変更
【補正の内容】
【０１２７】
【発明の効果】
以上説明したように、本発明によれば、現像剤残量を全体にわたって逐次に正確に検出し、適切なカートリッジ交換時期を示し、画像不良の発生を防止し、現像剤や記録媒体の無駄をなくすることができる。
【手続補正２０】
【補正対象書類名】明細書
【補正対象項目名】０１２８
【補正方法】削除
【補正の内容】
【手続補正２１】
【補正対象書類名】明細書
【補正対象項目名】０１２９
【補正方法】削除
【補正の内容】